(57)【要約】      （修正有）【課題】コラーゲン増殖の促進、しわ消しおよび皮膚の保湿度の向上を実現する粒子構造体を提供する。【解決手段】コラーゲン増殖の促進、しわ消しおよび皮膚の保湿度の向上に用いられる粒子構造体１０であって、コラーゲンを含有する活性コア層２０と、前記活性コア層の外側を被覆する、ヒアルロン酸を含有する保湿層３０と、前記保湿層の外側を被覆する保護層４０とを包含する。本考案の粒子構造体１０は各層の有効成分を効果的に放出して、真皮のコラーゲン増殖、皮膚の弾力の増加、しわ消しおよび皮膚の保湿度の向上の効果を促進し、さらにアンチエイジングという特殊効果をもたらすことができる。【選択図】図１
0003191456.tif 000002
【実用新案登録請求の範囲】
【請求項１】
コラーゲン増殖の促進、しわ消し及び皮膚の保湿度の向上に用いられる粒子構造体であって、
コラーゲンを含有する活性コア層と、
前記活性コア層の外側を被覆する、ヒアルロン酸を含有する保湿層と、
前記保湿層の外側を被覆する保護層と
を包含することを特徴とする、粒子構造体。
【請求項２】
前記保湿層の外側を被覆し、キャビアエッセンスを有する効能強化層をさらに含むことを特徴とする、請求項１に記載の粒子構造体。
【請求項３】
前記キャビアエッセンスは、天然の鮭の精巣より抽出されたものから選択されることを特徴とする、請求項２に記載の粒子構造体。
【請求項４】
前記コラーゲンは、魚コラーゲン、豚コラーゲンおよび／または牛コラーゲンからなる群から選択されることを特徴とする、請求項１に記載の粒子構造体。
【請求項５】
前記活性コア層に対して前記コラーゲンの質量パーセントは８７％から９６．７％であることを特徴とする、請求項１に記載の粒子構造体。
【請求項６】
前記保湿層に対して前記ヒアルロン酸の質量パーセントは０．０００６５％から６．５％であることを特徴とする、請求項１に記載の粒子構造体。
【請求項７】
前記効能強化層に対して前記キャビアエッセンスの質量パーセントは０．０００６５％から６．５％であることを特徴とする、請求項２に記載の粒子構造体。
【請求項８】
前記保護層は賦形剤をさらに含むことを特徴とする、請求項１に記載の粒子構造体。
【請求項９】
前記賦形剤は、調味剤、甘味増強剤、防腐剤、抗酸化剤、キレート剤、浸透剤、潤滑剤、着色剤及び結合剤からなる群から選択されることを特徴とする、請求項８に記載の粒子構造体。
【請求項１０】
前記保護層の外側を被覆する防湿層をさらに含むことを特徴とする、請求項１に記載の粒子構造体。
【請求項１１】
前記保湿層の厚みは、０．０１−０．０５ｍｍであることを特徴とする、請求項１に記載の粒子構造体。
【請求項１２】
前記保護層の厚みは、０．０１−０．０５ｍｍであることを特徴とする、請求項１に記載の粒子構造体。
【請求項１３】
前記活性コア層の表面がざらついていることを特徴とする、請求項１に記載の粒子構造体。
【請求項１４】
前記保護層の表面がざらついていることを特徴とする、請求項１に記載の粒子構造体。
【請求項１５】
粉末剤、錠剤、カプセルまたは液体のいずれかの形態である、請求項１に記載の粒子構造体。
【請求項１６】
前記錠剤の形態が、円形錠剤、楕円形錠剤、三角形錠剤、四角形錠剤、貝殻錠剤、および中空円形錠剤のうちの１つ又はこれらの組み合わせであってよいことを特徴とする、請求項１５に記載の粒子構造体。
【請求項１７】
機能性食品、スキンケア用品または化粧品の製品に用いられることを特徴とする、請求項１に記載の粒子構造体。
【請求項１８】
不織布マスク、コットンマスクまたは生物繊維マスクへの添加に用いられることを特徴とする、請求項１に記載の粒子構造体。
【考案の詳細な説明】
【技術分野】
【０００１】
本考案は、機能性食品、医薬品、スキンケア用品または化粧品の分野において幅広く応用可能な、コラーゲンおよびヒアルロン酸を多く含んだ粒子構造体に関する。
【背景技術】
【０００２】
年齢、労働の増加とともに、皮膚の老化現象が起こり始め、例えばしわの発生、斑点、ざらつき、コラーゲンの流失、角質の増殖および老化が始まる。このような老化現象を防止または予防するため、日々のスキンケア用品の使用以外に、食用サプリメントをさらに組み合わせることで皮膚の美白、保湿およびアンチエイジングの効果をもたらすことができる。
【０００３】
現在、市場には、「キャビアエッセンス」、「ヒアルロン酸」といった皮膚の新陳代謝、保湿及びアンチエイジングを促進する製品が数多く存在する。これらの製品は乳液またはエッセンス美容液として皮膚に塗ることで皮膚の表面に薄膜を形成するが、その薄膜も洗顔とともに洗い流され、同時に効果が消失してしまう。
【０００４】
「ヒアルロン酸」の基本構造は、２種類の単糖であるD-グルクロン酸およびN-アセチルグルコサミンが二糖単位で交互に構成された大型多糖類であり、現在、最良の保湿成分として一般に認められており、スキンケア用品または化粧品に幅広く応用されている。また、ヒアルロン酸は独特の物理化学的な性質と生理機能を有するため、さらに関節炎治療、眼科、心臓外科手術の補助薬品および人工皮膚といった医薬分野においても応用されている。
【０００５】
現在、コラーゲン増殖の促進またはその他スキンケアに用いる原料の剤型は、すでに数多く開発されている。例えば台湾の実用新案公開第M４４５９８３号では、皮膚のコラーゲン増殖を促進するリリーエッセンス微粒子構造体が開示されており、その効果は真皮のコラーゲン増殖を刺激すること、および皮膚の含水量を高めることにある。
【先行技術文献】
【特許文献】
【０００６】
【特許文献１】台湾登録実用新案 第M４４５９８３号明細書
【考案の概要】
【考案が解決しようとする課題】
【０００７】
現在、コラーゲン増殖の促進またはコラーゲンを補充する方法は通常、皮下注射、コラーゲン含有製品の塗布、コラーゲンの経口服用である。皮下注射により、コラーゲンを真皮層に注射することで直ちに皮膚のしわを減少させることができるが、注射したコラーゲンは体内の酵素によって分解されてしまう。また一部の利用者には注射後に免疫拒絶反応等の副作用が発生することが研究によって示されている。なお、現在の研究において、塗布によってコラーゲンの分子フラグメントを直接真皮層へ浸透させ、効果的に皮膚の弾力を回復させしわを除去できることは、まだ証明されていない。
【０００８】
よって、上記した従来のコラーゲンの補充方法を鑑みて、考案者はその技術がまだ完全ではないと考え、当該分野における長年の経験を生かして研究を重ね、皮膚状態の改善を強化することが出来る粒子構造体を考案した。また、機能性食品、医薬品、スキンケア用品または化粧品に対する粒子構造体の応用の幅を広げた。
【課題を解決するための手段】
【０００９】
本考案の粒子構造体は、コラーゲン増殖の促進、しわ消し及び皮膚の保湿度の向上に用いられる粒子構造体であって、前記粒子構造体は効果的に有効成分を放出可能であって、コラーゲンを含有する活性コア層と、前記活性コア層の外側を被覆する、ヒアルロン酸を含有する保湿層と、前記保湿層の外側を被覆する保護層とを包含する。
【００１０】
本明細書で述べるコラーゲンは、高濃度低分子のコラーゲンペプチドを有し、腸に吸収されやすく、皮膚のコラーゲンを補充し、皮膚の老化を防ぎ、角質の代謝を増強させ、しわを消し、皮膚の弾力とツヤを回復させるとともに、保湿効果も実現する。具体的な実施形態において、本明細書で述べるコラーゲンは魚コラーゲン、豚コラーゲンおよび／または牛コラーゲンからなる群から選択される。より好ましい実施形態において、本考案が使用するコラーゲンは魚コラーゲンから選択され、一つの粒子構造体において、前記コラーゲンの質量パーセントは８７％から９６．７％である。
【００１１】
本明細書で述べているヒアルロン酸は皮膚の水分を維持可能で、保湿効果を実現する。一つの粒子構造体において、本考案のヒアルロン酸の質量パーセントは０．０００６５％から６．５％である。
【００１２】
具体的な実施形態において、本考案の粒子構造体は、キャビアエッセンスを有する効能強化層をさらに包含し、当該効能強化層は、保湿層の外側を被覆している。前記キャビアエッセンスは天然の鮭の精巣より抽出されたキャビアDNAであり、前記キャビアエッセンスは皮膚の老化を効果的に予防することができる。一つの粒子構造体において、本考案に記載のキャビアエッセンスの質量パーセントは０．０００６５％から６．５％である。
【００１３】
具体的な実施形態において、前記保護層は賦形剤をさらに含み、前記賦形剤は、調味剤、甘味増強剤、防腐剤、抗酸化剤、キレート剤、浸透剤、潤滑剤、着色剤及び結合剤からなる群から選択される。
【００１４】
具体的な実施形態において、前記粒子構造体は防湿層をさらに含み、防湿層が保護層の外側を被覆することで、粒子構造体を通常の環境で保存しやすくする。
【００１５】
具体的な実施形態において、前記保湿層の厚みは０．０１−０．０５ｍｍであり、前記保護層の厚みは０．０１−０．０５ｍｍである。
【００１６】
具体的な実施形態において、前記活性コア層の表面はざらついており、この特徴によって前記層の表面積を増加することが可能である。表面積が増加すると、活性コア層と保湿層との付着力の増加に寄与するとともに、人体に入ると、活性コア層に含まれる有効成分の体内における放出速度を増加させることができる。また、前記保護層の表面もざらついているという特徴を有する。
【００１７】
具体的な実施形態において、本考案の粒子構造体は粉末剤、錠剤、カプセルまたは液体のいずれかの形態であり、機能性食品、医薬品、スキンケア用品または化粧品の製品に用いられる。本実施形態において、前記錠剤の形態は円形錠剤、楕円形錠剤、三角形錠剤、四角形錠剤、貝殻錠剤、および中空円形錠剤のうちの１つ又はこれらの組み合わせであってよい。
【００１８】
具体的な実施形態において、本考案の粒子構造体は水溶液に溶解させて、不織布マスク、コットンマスクまたは生物繊維マスクへ添加するか、またはフェイスマスクをエッセンスに浸してもよい。
【００１９】
本考案の粒子構造体は、コラーゲン増殖の促進、しわ消し及び皮膚の保湿度の向上に用いられる粒子構造体であって、コラーゲンを含有する活性コア層と、前記活性コア層の外側を被覆する、ヒアルロン酸を含有する保湿層と、前記保湿層の外側を被覆する保護層と
を包含する。
【００２０】
ある実施形態において、前記微粒子構造体は、前記保湿層の外側を被覆し、キャビアエッセンスを有する効能強化層をさらに含む。
【００２１】
ある実施形態において、前記キャビアエッセンスは、天然の鮭の精巣より抽出されたものから選択される。
【００２２】
ある実施形態において、前記コラーゲンは、魚コラーゲン、豚コラーゲンおよび／または牛コラーゲンからなる群から選択される。
【００２３】
ある実施形態において、前記活性コア層に対して前記コラーゲンの質量パーセントは８７％から９６．７％である。
【００２４】
ある実施形態において、前記保湿層に対して前記ヒアルロン酸の質量パーセントは０．０００６５％から６．５％である。
【００２５】
ある実施形態において、前記効能強化層に対して前記キャビアエッセンスの質量パーセントは０．０００６５％から６．５％である。
【００２６】
ある実施形態において、前記保護層は賦形剤をさらに含む。
【００２７】
ある実施形態において、前記賦形剤は、調味剤、甘味増強剤、防腐剤、抗酸化剤、キレート剤、浸透剤、潤滑剤、着色剤及び結合剤からなる群から選択される。
【００２８】
ある実施形態において、前記微粒子構造体は、前記保護層の外側を被覆する防湿層をさらに含む。
【００２９】
ある実施形態において、前記保湿層の厚みは、０．０１−０．０５ｍｍである。
【００３０】
ある実施形態において、前記保護層の厚みは、０．０１−０．０５ｍｍである。
【００３１】
ある実施形態において、前記活性コア層の表面がざらついている。
【００３２】
ある実施形態において、前記保護層の表面がざらついている。
【００３３】
ある実施形態において、前記微粒子構造体は粉末剤、錠剤、カプセルまたは液体のいずれかの形態である。
【００３４】
ある実施形態において、前記錠剤の形態が、円形錠剤、楕円形錠剤、三角形錠剤、四角形錠剤、貝殻錠剤、および中空円形錠剤のうちの１つ又はこれらの組み合わせであってよい。
【００３５】
ある実施形態において、前記微粒子構造体は機能性食品、スキンケア用品または化粧品の製品に用いられる。
【００３６】
ある実施形態において、前記微粒子構造体は不織布マスク、コットンマスクまたは生物繊維マスクへの添加に用いられる。
【００３７】
本考案の粒子構造体およびその使用方法は、本実施形態によって限定されず、本考案における使用方法のいかなる適用も全て本考案の使用範囲に含まれる。
【００３８】
本明細書及び実用新案登録請求の範囲で用いられる「包含」、「有する」、「含む」または「含有」は、「内に含まれる」、またはオープン形式の意味であり、その他の引用されていない素子または方法ステップを排除するものではない。
【図面の簡単な説明】
【００３９】
【図１】本考案の好ましい実施形態の立体構造の模式図である。
【図２】本考案の別の実施形態における構造の模式図である。
【図３】本考案の粒子構造体を添加したフェイスマスクを使用者が使用している状態である。
【考案を実施するための形態】
【００４０】
以下、具体的な実施形態を以って本考案をさらに説明する。なお、これらの実施形態は説明のためであって、本考案の範囲を限定するものではない。
実施形態１：本考案の粒子構造体
図１は本考案の立体構造の模式図である。本考案は、コラーゲン増殖の促進、しわ消しおよび皮膚の保湿度の向上に用いられる粒子構造体１０であって、効果的に有効成分を放出することができる。当該粒子構造体１０は活性コア層２０、保湿層３０および保護層４０で構成され、当該活性コア層にはコラーゲンが含まれ、当該保湿層にはヒアルロン酸が含まれる。
【００４１】
より好ましい実施形態において、本考案の粒子構造体はキャビアエッセンスが含まれた効能強化層をさらに有し、効能強化層は当該保湿層の外側を被覆している。当該効能強化層は、必要に応じて、必要な効能の物質を加えることで、粒子構造体の放出過程において、各効能の相乗効果が達成可能である。ここで述べた効能強化層は、添加された物質によって粒子構造体全体から発生する特殊効能及び付加的効能を強化し、さらに効果を突出させる。
【００４２】
本考案のより好ましい実施形態において、図２に示すように、本考案における粒子構造体の保護層４０の外側は、マルトデキストリンから構成された防湿層５０でさらに被覆され、マルトデキストリンは一般の市販品であってよい。当該防湿層は、一般的な造粒噴霧技術により、マルトデキストリンを粒子の最外層に噴霧したもので、当業者は、製品の需要に基づいてマルトデキストリンの濃度と噴霧後に生じた厚みとを調整することで、本考案の粒子構造体に防湿効果を持たせ、さらに通常の環境において安全に保存することができる。
【００４３】
本考案における有効成分を放出する粒子構造体は、機能性食品、スキンケア用品、医薬品及び化粧品の製品として、粉末剤、錠剤、カプセルおよび飲料品の形態で製造可能である。
【００４４】
例えば本考案の粒子構造体の保護層は、食品に使用可能な賦形剤を含み、前記賦形剤は調味剤、甘味増強剤、防腐剤、抗酸化剤、キレート剤、浸透剤、潤滑剤、着色剤及び結合剤からなる群から選択されてよい。また、本考案の粒子構造体は、機能性食品、医薬品またはスキンケア用品としてカプセルに充填してもよい。また、本考案の粒子構造体は、ラクトース、澱粉またはセルロース等の賦形剤を添加し、加圧方法で錠剤にしてもよく、その錠剤の形状は円形錠剤、楕円形錠剤、三角形錠剤、四角形錠剤、貝殻状錠剤、中空円形錠剤のうちの一つまたはこれらの組合せであってよい。上述した錠剤は、機能性食品、スキンケア用品または医薬品であってもよい。
【００４５】
実施形態２：粒子構造体の使用方法
本考案のより好ましい実施形態において、本考案の粒子構造体を利用して製造された「コラーゲンゴールド」は、一つの粒子構造体において、質量パーセントが８７％から９６．７％であるコラーゲンを含んだ活性コア層と、質量パーセントが０．０００６５％から６．５％であるキャビアエッセンスを含んだ効能強化層と、質量パーセントが０．０００６５％から６．５％であるヒアルロン酸を含んだ保湿層とを含み、当該粒子構造体を水に溶かし溶液にした後、飲用または直接、経口摂取する。水に溶かし溶液にした後、５０ｍLの溶液にすることで、活発なコラーゲンである天然有効成分、高保湿度であるヒアルロン酸および皮膚の老化を防ぐキャビアエッセンスを人体に直接吸収することができ、これらの成分は天然物質であり、皮膚のメンテナンスを助け、人体にも負担を与えない。
【００４６】
上記の構成成分以外に、下記のような構成成分も採用できる。
【００４７】
上記成分に基づいて、本考案の粒子構造体は、その他添加剤または香料等を組み合わせることが可能であり、例えば果糖、ビタミンC、クエン酸、サクラ液体香料、リンゴ液体香料及びライチ液体香料を水に溶かして溶液にした後、適量の水に溶解し５０mLの飲料品を形成することで、飲料に風味を加える。
【００４８】
また、飲料品の味覚を変えるために、当該飲料品に甘味を適度に添加することができ、例えば、サッカリンナトリウム、砂糖、ブドウ糖、デンプン糖シロップ、右旋糖、果糖、グリセリン、イソマルト、ラクチトール、ラクトース、マルチトール、マルトース、マンニトール、ソルビトール、ショ糖、タガトース、トレハロース、キシリトール、アリターム、アスパルテーム、アセスルファムカリウム、シクラミン酸、シクラミン酸塩、ネオヘスペリジンジヒドロカルコン、タウマチン、サッカリン、サッカリン塩又はスクラロース等を添加することができる。
【００４９】
本考案のより好ましい実施形態において、図３に示すように、本考案の粒子構造体はさらに、水またはエッセンスに溶かすことで、不織布マスク、コットンマスクまたは生物繊維マスクに、粒子構造体を含む液体を吸収させることができ、使用者３０１が当該マスク３０２を顔の皮膚に被せることで、肌にハリを持たせるとともに肌の保湿度を高める。
【００５０】
また、本考案の考案者の提供する別の実施形態において、当該保護層は腸溶剤皮膜であり、当該腸溶剤皮膜は、腸の環境に到達してから溶解し、機能性コア層の有効成分を放出させることで、胃酸による有効成分の分解破壊を回避することができる。当該腸溶剤皮膜の組成は、例えば、ヒマシ油、セラック、鉱物油、プロピレングリコール、ポリメタクリル酸エステル、クエン酸トリエチル、クエン酸トリブチル、フタル酸ジメチル、フタル酸ジエチル、ポリエチレングリコール、酢酸フタル酸セルロース、フタル酸ヒドロキシプロピルメチルセルロース、ヒプロメロース酢酸エステルコハク酸エステル等のうちの一つ又は複数の組み合わせである。
【００５１】
以上を要約すると、本考案の粒子構造体は内部に含まれる有効成分を効果的に放出することができる。例えば、キャビアエッセンス、コラーゲンおよびヒアルロン酸が人体内で効果的に有効成分を放出することができ、腸に吸収されやすいため、コラーゲン増殖を効果的に促進し、皮膚にハリを持たせ、弾力性を持たせ、しわを取り除く。また、皮膚の保湿度をさらに向上させることができ、アンチエイジングの効果をもたらす。
【００５２】
上述した内容は、本考案におけるより好ましい実施形態に過ぎず、本考案に対して何らかの形態上の限定を設けるものではない。当業者が、本考案が提出した技術的特徴の範囲から逸脱せず、本考案が開示した技術内容を利用して部分的変更または修飾を行った同等の実施形態が、本考案の技術的特徴の内容を逸脱していなければ、いずれも本考案の技術的特徴の範囲に属する。
【符号の説明】
【００５３】
１０      粒子構造体
２０      活性コア層
３０      保湿層
４０      保護層
５０      防湿層
３０１    使用者
３０２    フェイスマスク
【図１】
0003191456.tif 000003
【図２】
0003191456.tif 000004
【図３】
0003191456.tif 000005
【手続補正書】
【提出日】平成26年4月16日(2014.4.16)
【手続補正１】
【補正対象書類名】実用新案登録請求の範囲
【補正対象項目名】請求項１５
【補正方法】変更
【補正の内容】
【請求項１５】
粉末剤、錠剤またはカプセルのいずれかの形態である、請求項１に記載の粒子構造体。
【手続補正２】
【補正対象書類名】明細書
【補正対象項目名】００４８
【補正方法】変更
【補正の内容】
【００４８】
また、飲料品の味覚を変えるために、当該飲料品に甘味を適度に添加することができ、例えば、サッカリンナトリウム、砂糖、ブドウ糖、デンプン糖シロップ、右旋糖、果糖、グリセリン、イソマルト（登録商標）、ラクチトール、ラクトース、マルチトール、マルトース、マンニトール、ソルビトール、ショ糖、タガトース、トレハロース、キシリトール、アリターム、アスパルテーム、アセスルファムカリウム、シクラミン酸、シクラミン酸塩、ネオヘスペリジンジヒドロカルコン、タウマチン、サッカリン、サッカリン塩又はスクラロース等を添加することができる。